(57)【要約】【課題】所望とする断熱性能を確保し、しかもその施工時の作業性が良好な床下断熱構造を提供する。【解決手段】建物ユニットの床部において、相対する床大梁１３の間には所定間隔で複数の床小梁１６が架け渡されており、床小梁１６の上方に床仕上げ材２２やパーティクルボード２３からなる床材が敷設されている。また、床材の下方には断熱構造体２５が設置されている。かかる断熱構造体２５は、薄シート状のベースシート２６と、そのベースシート２６の下面側に貼り付けられる複数の断熱材２７とから構成されている。断熱材２７は、グラスウールやロックウール等の繊維系断熱材を袋体２７ａに収容して構成されており、床小梁１６との干渉を避けるようにして互いに離間してベースシート２６に貼り付けられている。【選択図】      図１
2008169661.tif 000002
【特許請求の範囲】
【請求項１】
相対する床大梁間に所定間隔で複数の床小梁を架け渡して設け、前記床小梁上に床材を敷設した建物に適用され、前記床材の下方に設置される床下断熱構造であって、
前記床小梁と前記床材との間に設けられるシート材に、前記床小梁との重なり部分で分離されてなる複数の断熱材を一体化して取り付けたことを特徴とする床下断熱構造。
【請求項２】
前記シート材は、気密性を有するシートであってかつ前記床材の下面に重ねて設けられ、前記複数の断熱材は前記シート材から吊り下げた状態で取り付けられている請求項１に記載の床下断熱構造。
【請求項３】
前記断熱材は、所定厚さを有する直方体状をなし、その側面部が前記床小梁の側面部に当接されて配設されている請求項１又は２に記載の床下断熱構造。
【請求項４】
前記シート材には、前記断熱材を取り付けた部分よりも外側に余剰部分が設けられ、その余剰部分を用いて前記シート材が前記床小梁又は床下構造体に固定されている請求項１乃至３のいずれかに記載の床下断熱構造。
【請求項５】
前記シート材と前記複数の断熱材とからなる断熱構造体を複数並べて設置した床下断熱構造であって、
前記断熱構造体を、隣り合う断熱構造体の各シート材の余剰部分を互いに重ね合わせて設置した請求項４に記載の床下断熱構造。
【請求項６】
複数の建物ユニットを結合させてなるユニット式建物に適用される床下断熱構造であって、
前記シート材の余剰部分を、隣の建物ユニットの床大梁まで拡張して設けた請求項４又は５に記載の床下断熱構造。
【請求項７】
前記シート材に床暖房用の熱線を埋設した請求項１乃至６のいずれかに記載の床下断熱構造。
【発明の詳細な説明】
【技術分野】
【０００１】
本発明は、床下断熱構造に関するものである。
【背景技術】
【０００２】
住宅等の建物では床部を通じて室内の熱が逃げるため、その床部に断熱材を敷くなどして断熱性能を高める各種技術が提案されている。例えば特許文献１では、間隔をおいて配置された床小梁間に、垂れ下がった状態で気密シートを架け渡し、その気密シートにより断熱材を支持する構成としている。そしてこれにより、断熱材を支持すべく床小梁等に設けられる支持金具を不要とし、その支持方法を簡素化するものとしている。
【特許文献１】特開２００１−２７１４３４号公報
【発明の開示】
【発明が解決しようとする課題】
【０００３】
しかしながら、上記の断熱構造では、床小梁間に垂れ下がった状態で気密シートを架け渡した後、その気密シート上に断熱材を設置するものとなっており、その施工時には、気密シートの架け渡し作業と各断熱材の設置作業とを要する。この場合、各床小梁間において均等に垂れ下がるように気密シートを架け渡す必要があり、その作業が面倒となると考えられる。なお、各床小梁間における気密シートの垂れ下がりが均等でないと、場所によって断熱材の潰され具合（すなわち、断熱材の粗密）が異なり、それに起因して断熱性能の低下が生じると考えられる。また、気密シートの架け渡し後に断熱材を個々に設置する作業についても面倒であり、改善の余地が残されている。
【０００４】
本発明は、所望とする断熱性能を確保し、しかもその施工時の作業性が良好な床下断熱構造を提供することを主たる目的とするものである。
【課題を解決するための手段】
【０００５】
以下、上記課題を解決するのに有効な手段等につき、必要に応じて作用、効果等を示しつつ説明する。なお以下では、理解を容易にするため、発明の実施形態において対応する構成例を括弧書き等で適宜示すが、この括弧書き等で示した具体的構成に限定されるものではない。
【０００６】
本発明の床下断熱構造は、相対する床大梁（床大梁１３）間に所定間隔で複数の床小梁（床小梁１６）を架け渡して設け、前記床小梁上に床材（床仕上げ材２２、パーティクルボード２３）を敷設した建物に適用されるものである。そして特に、前記床小梁と前記床材との間に設けられるシート材（ベースシート２６）に、前記床小梁との重なり部分で分離されてなる複数の断熱材（断熱材２７）を一体化して取り付けたことを特徴とする。
【０００７】
上記構成によれば、シート材と複数の断熱材とが一体化されているため、床小梁上へのシートの架け渡し作業と、各床小梁間への断熱材の設置作業とを同時に行うことができる。そのため、床下断熱構造の取り付け施工時における作業性が大幅に向上する。また、床小梁との重なり部分で各断熱材が分離されているため、床小梁と干渉することで断熱材が押し潰されることもなく、床材と床小梁との間で断熱材が押し潰されることにより生じる断熱性能の低下を抑制できる。以上により、所望とする断熱性能を確保し、しかもその施工時の作業性が良好な床下断熱構造を実現できる。
【０００８】
前記シート材は、気密性を有するシートであってかつ前記床材の下面に重ねて設けられ、前記複数の断熱材は前記シート材から吊り下げた状態で取り付けられていると良い。この場合仮に、気密性を有するシート材と床材との間にスペース（閉空間）が設けられ、そのスペース内に断熱材が収容される構成であると、寒暖等により断熱材が湿気る（湿り気を帯びる）ことがあり、その湿気りによりその断熱性能が低下する等の不都合が生じるおそれがある。この点、上記構成では、気密性を有するシート材を挟んでその上下に床材と断熱材とが設けられるため、断熱材に湿気が溜まることが無く同断熱材の湿気りが抑制できる。したがって、断熱材の湿気りに伴う断熱性能の低下等が抑制できる。
【０００９】
前記断熱材は、所定厚さを有する直方体状をなし、その側面部が前記床小梁の側面部に当接されて配設されていると良い。この場合、断熱材と床小梁とは各々の側面部が当接した状態となっているため、それら両部材の側面部間に形成される隙間を通じて熱が逃げることが抑制され、断熱性能の向上を図ることができる。
【００１０】
前記シート材には、前記断熱材を取り付けた部分よりも外側に余剰部分（シート余剰部２６ｂ）が設けられ、その余剰部分を用いて前記シート材が前記床小梁又は床下構造体（床根太２１等）に固定されていると良い。この場合、シート材の余剰部分を用いて床小梁や床下構造体への固定を行うことにより、その固定作業を容易なものにすることができる。
【００１１】
前記シート材と前記複数の断熱材とからなる断熱構造体（断熱構造体２５）を複数並べて設置した床下断熱構造であって、前記断熱構造体を、隣り合う断熱構造体の各シート材の余剰部分を互いに重ね合わせて設置すると良い。この場合、シート材の余剰部分を互いに重ね合わせることにより、建物の床部において断熱層の切れ目を無くすことができ、断熱性能の向上を図ることができる。
【００１２】
ユニット式建物は複数の建物ユニット（建物ユニット１０）を結合させて構築される。かかるユニット式建物において、前記シート材の余剰部分を、隣の建物ユニットの床大梁まで拡張して設けると良い。この場合、隣接する複数の建物ユニットにおいてそれら各床大梁間の隙間がシート材の余剰部分により覆われることとなる。したがって、隣接する建物ユニット間において断熱層の切れ目を無くすことができ、断熱性能の向上を図ることができる。
【００１３】
前記シート材に床暖房用の熱線を埋設すると良い。これにより、室内の熱が逃げにくく、しかも床暖房も可能な床下断熱構造が構築できる。なおこの場合、床材と床小梁との間に熱線が挟まれないよう、床小梁の組み付け部（すなわち、各断熱材の分離部分）を迂回させて熱線を設けるのが良い。
【発明を実施するための最良の形態】
【００１４】
以下、本発明を具体化した一実施形態を図面に基づいて説明する。本実施形態では、鉄骨ラーメンユニット工法にて構築されるユニット式建物に具体化しており、当該ユニット式建物に使用される複数の建物ユニットは、工場にてあらかじめ生産され、その後、建物施工現場に運搬されて建物ユニット同士が連結、組み付けられるものとなっている。図３には、当該ユニット式建物に用いられる建物ユニット１０の構成を示す。
【００１５】
図３に示すように、建物ユニット１０において、その四隅には柱１１が配され、各柱１１の上端部及び下端部がそれぞれ４本の天井大梁１２、床大梁１３により連結されている。そして、それら柱１１、天井大梁１２及び床大梁１３により直方体状の骨格（フレーム）が形成されている。柱１１は四角筒状の角形鋼よりなる。また、天井大梁１２及び床大梁１３は断面コ字状の溝形鋼よりなり、その開口部が向き合うようにして設置されている。
【００１６】
建物ユニット１０の長辺部の相対する天井大梁１２の間には、所定間隔で複数の天井小梁１５が架け渡されている。同じく建物ユニット１０の長辺部の相対する床大梁１３の間には、所定間隔で複数の床小梁１６が架け渡されている。天井小梁１５と床小梁１６とはそれぞれ同間隔でかつ各々上下に対応する位置に水平に設けられている。図３では図示を略すが、天井小梁１５によって天井面材が支持され、床小梁１６によって床面材が支持されるようになっている。
【００１７】
次に、本発明の要部である床下断熱構造について詳しく説明する。図１において、（ａ）は建物ユニット１０の床部における断熱構造を示す断面図、（ｂ）は断熱構造体２５のみを示す断面図である。また、図２において、（ａ）は断熱構造体２５の平面図、（ｂ）は建物ユニット１０の床部の平面図である（断熱構造体２５の形状及び大きさの比較のために同一尺度で示す）。なお、図２（ａ）では便宜上、実際には下側にして使う方（断熱材２６側）を上側にして示している。
【００１８】
建物ユニット１０の各床大梁１３上には床根太２１が設けられ、その床根太２１の上面と各床小梁１６の上面とは略同じ高さとなっている。そして、これら床根太２１や床小梁１６の上方に、床仕上げ材２２やパーティクルボード（合板）２３からなる床材が敷設されている。
【００１９】
また、床材の下方には断熱構造体２５が設置されている。かかる断熱構造体２５は、薄シート状のベースシート２６と、そのベースシート２６の一方の面（図１の下面側）に貼り付けられる複数（本実施形態では６個）の断熱材２７とから構成されている。ベースシート２６は、例えばポリエチレン樹脂製の気密シート材よりなり、建物ユニット１０の床部とほぼ同じ大きさを有する略四辺形形状となっている（図２参照）。ただし、ベースシート２６の四隅には、建物ユニット１０に設置した場合における柱１１との干渉を避けるための切欠部２６ａが設けられている。
【００２０】
また、断熱材２７は、グラスウールやロックウール等の繊維系断熱材を袋体２７ａに収容して構成されており、所定厚さを有する直方体状（本実施形態では、概ね断面長方形の長尺角柱状）をなすものとなっている。袋体２７ａは通気性を有する被膜材である。各断熱材２７は、平面視で短手方向となる長さ（図２のＬ２）が建物ユニット１０の各床小梁１６間の寸法に等しく、長手方向となる長さ（図２のＬ３）がユニット長辺部の各床大梁１３間の寸法に等しいものとなっている。なお、断熱材２７の厚みは、都度要求される断熱性能に応じて適宜設定されるようになっている。
【００２１】
そして、複数の断熱材２７が、床小梁１６との干渉を避けるようにして互いに離間されてベースシート２６に貼り付けられている。この場合、各断熱材２７はベースシート２６から吊り下げた状態で取り付けられている。なお、断熱材２７は、接着剤によりベースシート２６に貼り付けられるが、両面テープなど他の接着手段を用いて断熱材２７をベースシート２６に貼り付けることも可能である。
【００２２】
断熱材２７をベースシート２６に貼り付けた状態において、各断熱材２７間には隙間部Ｓ１が形成され、その隙間部Ｓ１の幅寸法（図１のＬ１）は床小梁１６の幅寸法に等しくなっている。また、ベースシート２６において、断熱材貼り付け部分よりも外側、すなわちベースシート２６の四辺の縁部付近はシート余剰部２６ｂとなっている。
【００２３】
図１に示すように、断熱構造体２５は、床根太２１とパーティクルボード２３との間、及び床小梁１６とパーティクルボード２３との間にベースシート２６が挟まれた状態で建物ユニット１０に設置されている。詳しくは、床根太２１とパーティクルボード２３との間にはベースシート２６のシート余剰部２６ｂが挟まれており、そのシート余剰部２６ｂがタッピングねじ等により床根太２１に固定されている。また、床小梁１６とパーティクルボード２３との間には、ベースシート２６において断熱材２７が貼り付けられていない部分が挟まれており、当該部分がタッピングねじ等により床小梁１６に固定されている。
【００２４】
建物ユニット１０の床部に断熱構造体２５を組み付けた状態では、気密性を有するベースシート２６を挟んでその上下に床材と断熱材２７とがそれぞれ設けられるため、断熱材２７の湿気りが抑制される。つまり、建物においては一般に床下換気が行われ、その床下換気によって断熱材２７の湿気りが抑制されるようになっている。ちなみに、上記構成とは異なり、ベースシート２６と床材との間にスペース（閉空間）を設け、そのスペース内に断熱材２７を収容した構成であると、寒暖等により断熱材２７が湿気ることが考えられるが、本実施形態の構成ではこうした不都合が解消される。
【００２５】
また、床小梁１６と断熱材２７とは各々の側面部が当接し、それら両部材１６，２７間には隙間が無い状態となっている。そのため、床小梁１６の側面部と断熱材２７の側面部との間の隙間を通じて熱が逃げることが抑制されるようになっている。ちなみに、上記構成とは異なり、各断熱材２７を分離させることなく一体物として設けた場合には、床材と床小梁１６との間に断熱材２７の一部が挟まれることで断熱材２７が押し潰されて変形し、その変形により床小梁１６の側面部と断熱材２７の側面部との間に隙間ができるため、その隙間を通じて熱が逃げるとが考えられるが、本実施形態の構成ではこうした不都合が解消される。
【００２６】
次に、建物ユニット１０の床部に、断熱構造体２５や床材を設置する手順について説明する。
【００２７】
まずは、建物ユニット１０の四辺の床大梁１３上に床根太２１を設置し、その後、断熱構造体２５を設置する。このとき、断熱材２７が取り付けられた側を下にして床小梁１６上に断熱構造体２５のベースシート２６を敷き、各床小梁１６間の隙間エリアにそれぞれ断熱材２７を差し入れる。これにより、各床小梁１６間の隙間エリアには、床小梁１６周りに隙間ができることなく断熱材２７が配設される。
【００２８】
その後、断熱構造体２５のベースシート２６上にパーティクルボード２３を載せ、そのパーティクルボード２３上から、床根太２１を設置した部分と床小梁１６を設置した部分とに対してタッピングねじのねじ込み作業等を行う。これにより、パーティクルボード２３が建物ユニット１０に固定されるとともに、パーティクルボード２３の下面側に断熱構造体２５が固定される。このとき、シート余剰部２６ｂが床根太２１に固定されるとともに、ベースシート２６において断熱材２７の未貼り付け部分が床小梁１６に固定される。そしてその後、パーティクルボード２３上に床仕上げ材２２が載置固定される。
【００２９】
以上詳述した本実施形態によれば、以下の優れた効果が得られる。
【００３０】
建物の床下断熱構造として、床材と床小梁１６との間に設けられるベースシート２６に、床小梁１６との重なり部分で分離されてなる複数の断熱材２７を一体化して取り付けた構造を採用した。本構成によれば、断熱構造体２５としてベースシート２６と複数の断熱材２７とがあらかじめ一体化されているため、床小梁１６上へのベースシート２６の架け渡し作業と、各床小梁１６間への断熱材２７の設置作業とを同時に行うことができる。そのため、床下断熱構造の取り付け施工時における作業性が大幅に向上する。また、床小梁１６との重なり部分で各断熱材２７が分離されているため、床小梁１６と干渉することで断熱材２７が押し潰されることもなく、床材と床小梁１６との間で断熱材２７が押し潰されることにより生じる断熱性能の低下を抑制できる。つまり、各断熱材２７は、各床小梁１６間において均質な状態で保持される。以上により、所望とする断熱性能を確保し、しかもその施工時の作業性が良好な床下断熱構造を実現できる。
【００３１】
気密性を有するベースシート２６を挟んでその上下に床材と断熱材２７とをそれぞれ設ける構成としたため、寒暖等により断熱材２７の内部が湿気ってしまうといった不都合が抑制できる。したがって、断熱材２７の湿気りに伴う断熱性能の低下等が抑制できる。
【００３２】
断熱材２７と床小梁１６とを各々の側面部が互いに当接した状態としたため、それら両部材間の隙間を通じて熱が逃げることが抑制され、断熱性能の向上を図ることができる。
【００３３】
ベースシート２６の周縁部にシート余剰部２６ｂを設けておき、そのシート余剰部２６ｂを用いて床根太２１への固定を行う構成としたため、その固定作業を容易なものにすることができる。
【００３４】
本発明は上記実施形態の記載内容に限定されず、例えば次のように実施されても良い。
【００３５】
上記実施形態では、建物ユニット１０ごとに断熱構造体２５を１つずつ敷設する構成としたが、これを変更しても良い。例えば、断熱構造体２５を建物ユニット１０の床部面積よりも小さくし、建物ユニット１０ごとに複数の断熱構造体２５を並べて設置する構成とする。このように複数の断熱構造体２５を並べる場合、各断熱構造体２５のそれぞれのベースシート２６の余剰部２６ｂを互いに重ね合わせて、各断熱構造体２５を設置すると良い。かかる場合、ベースシート２６の余剰部２６ｂを互いに重ね合わせることにより、建物の床部において断熱層の切れ目を無くすことができ、断熱性能の向上を図ることができる。
【００３６】
また、複数の建物ユニット１０が結合されてなるユニット式建物において、ベースシート２６の余剰部２６ｂを、隣の建物ユニット１０の床大梁１３まで拡張して設ける構成とすることも可能である。その具体例を図４に示す。なお図４では、３つの建物ユニット１０Ａ，１０Ｂ，１０Ｃを結合した建物の床部を示し、そのうち建物ユニット１０Ａの床部に敷設される断熱構造体２５を破線にて示している。
【００３７】
図４に示すように、断熱構造体２５のベースシート２６には、前述のとおりその四辺縁部にシート余剰部２６ｂが設けられている。ただし本例の場合には特に、２つの建物ユニット１０が並設されている部分について、シート余剰部２６ｂが隣の建物ユニット１０の床大梁１３（図４では、建物ユニット１０Ｂ，１０Ｃの床大梁１３）まで拡張して設けられている。つまり、シート余剰部２６ｂは、建物ユニット１０Ａ，１０Ｂの床大梁１３間、及び建物ユニット１０Ａ，１０Ｃの床大梁１３間に形成される隙間Ｓ２を跨ぐことのできる大きさとなっている。そして、隣の建物ユニット１０Ｂ，１０Ｃまで拡張されたシート余剰部２６ｂが、当該隣の建物ユニット１０Ｂ，１０Ｃの床大梁１３に固定されるようになっている。
【００３８】
上記構成によれば、隣接する複数の建物ユニット１０Ａ〜１０Ｃにおいてそれら各床大梁１３間の隙間Ｓ２がベースシート２６の余剰部２６ｂにより覆われることとなる。したがって、隣接する建物ユニット１０Ａ〜１０Ｃ間において断熱層の切れ目を無くすことができ、断熱性能の向上を図ることができる。
【００３９】
上記実施形態では、断熱構造体２５において、グラスウールやロックウール等の繊維系断熱材を袋体２７ａに収容した断熱材２７を用いたが、これ以外に、押出法ポリスチレンフォーム、ビーズ法ポリスチレンフォーム、硬質ポリウレタンフォーム等の発泡プラスティック系断熱材を用いることも可能である。発泡プラスティック系断熱材を用いる場合、建物ユニットの床小梁間の間隔に合わせて同断熱材を直方体状に成形し、その断熱材をベースシート２６に複数貼り付ける構成とする。
【００４０】
ベースシート２６に、床暖房用の熱線（電気配線）を埋め込む構成とすることも可能である。これにより、室内の熱が逃げにくく、しかも床暖房も可能な床下断熱構造が構築できる。なおこの場合、床材と床小梁１６との間に熱線が挟まれないよう、床小梁１６の組み付け部（すなわち、各断熱材２７の分離部分）を迂回させて熱線を設けるのが良い。
【００４１】
上記実施形態では、ユニット式建物の建物ユニットに対して本発明の床下断熱構造を適用したが、他の構造の建物にも本発明の床下断熱構造を適用することも可能である。例えば、鉄骨軸組工法により構築される建物や、枠組壁工法により構築される建物、木造在来工法により構築される建物にも適用できる。
【図面の簡単な説明】
【００４２】
【図１】（ａ）は建物ユニットの床部における断熱構造を示す断面図、（ｂ）は断熱構造体のみを示す断面図。
【図２】（ａ）は断熱構造体の平面図、（ｂ）は建物ユニットの床部の平面図。
【図３】建物ユニットの斜視図。
【図４】別の実施形態において床下断熱構造を示す図。
【符号の説明】
【００４３】
１０…建物ユニット、１１…柱、１２…天井大梁、１３…床大梁、１６…床小梁、２２…床仕上げ材、２３…パーティクルボード、２５…断熱構造体、２６…ベースシート、２６ｂ…シート余剰部、２７…断熱材。
【図１】
2008169661.tif 000003
【図２】
2008169661.tif 000004
【図３】
2008169661.tif 000005
【図４】
2008169661.tif 000006